(57)【要約】  水陸両用車（１０）は陸上推進手段および水上推進手段を有する。車輪（１２）付きの少なくとも２つの車軸が、車両の長さに沿って間隔を置いて配置される。引上げ可能な車輪（１４）付きの少なくとも１つの中間車軸が、他の車軸の間に配置される。この追加車軸は、でこぼこの地面での操縦性を改善することができる。車輪（１４）は水上および／または陸上で引き上げることができる。車輪（１２）も引き上げることができる。１つまたはそれ以上の車軸を全時間で、または選択的に駆動させることができる。車両は水上では滑水することができ、Ｖ字形船体（１１）を持つことができる。水上推進は、ジェット駆動装置によって行なうことができる。車輪（１４）は垂直に、または車両の長手軸を中心に弧を描くように引き上げることができる。スキッドステアを使用することができる。泥除け、車両のルーフ、および車輪用の引上げガイド（スライド１６）を取り付けることができる。スライドの対はルーフ支持体を提供することができる。フォワードコントロールドライビングポジションを設けることができる。【選択図】  図３
2010509110.tif 000002
【特許請求の範囲】
【請求項１】
陸上推進手段および水上推進手段を備え、前記陸上推進手段が、車両の長さに沿って間隔を置いて配置された少なくとも２つの車軸、およびそれらの間に配置された少なくとも１つの中間車軸を含み、前記少なくとも１つの中間車軸が、車両を水上および／または陸上で使用するために車両の水線より上に引き上げることのできる少なくとも１つの車輪を支持して成る、陸上および水上で使用するための水陸両用車。
【請求項２】
車両の長さに沿って間隔を置いて配置された前記少なくとも２つの車軸が各々、車両を水上および／または陸上で使用するために車両の水線より上に引き上げることのできる少なくとも１つの車輪を支持する、請求項１に記載の水陸両用車。
【請求項３】
車軸の１つまたはそれ以上が駆動車軸である、請求項１または２に記載の水陸両用車。
【請求項４】
車軸の１つまたはそれ以上の駆動が選択的である、請求項１ないし３のいずれか一項に記載の水陸両用車。
【請求項５】
水上で滑走するように適応された、請求項１ないし４のいずれか一項に記載の水陸両用車。
【請求項６】
Ｖ字形船体を備えた、請求項１ないし５のいずれか一項に記載の水陸両用車。
【請求項７】
前記水上推進手段が少なくとも１つのジェット駆動装置を含む、請求項１ないし６のいずれか一項に記載の水陸両用車。
【請求項８】
間隔を置いて配置された車軸の少なくとも１つが車両の第１近端または前端に設けられ、間隔を置いて配置された車軸の少なくとも１つが車両の第２遠端または後端に設けられる、請求項１ないし７のいずれか一項に記載の水陸両用車。
【請求項９】
前記少なくとも１つの中間車軸が車両の後部寄りに設けられる、請求項１ないし８のいずれか一項に記載の水陸両用車。
【請求項１０】
前記少なくとも１つの中間車軸が車両の前部寄りに設けられる、請求項１ないし８のいずれか一項に記載の水陸両用車。
【請求項１１】
前記少なくとも１つの中間車軸の前記少なくとも１つの支持車輪が、車両に沿って前端から後端まで走る長手軸に沿って間隔を置いて配置された前記少なくとも２つの車軸の支持車輪と整列して設けられる、請求項２ないし１０のいずれか一項に記載の水陸両用車。
【請求項１２】
前記少なくとも１つの中間車軸の前記少なくとも１つの支持車輪が、間隔を置いて配置された前記少なくとも２つの車軸の支持車輪と長手方向に整列しない、請求項２ないし１０のいずれか一項に記載の水陸両用車。
【請求項１３】
前記少なくとも１つの中間車軸が複数の中間車軸を含み、各中間車軸が少なくとも１つの車輪を支持し、かつ車両の他の中間車軸および／または他の車軸とは相互に独立して引上げ可能である、請求項１ないし１２のいずれか一項に記載の水陸両用車。
【請求項１４】
前記複数の中間車軸の支持車輪が、車両に沿って前端から後端まで走る長手軸に沿って相互に整列して設けられる、請求項１３に記載の水陸両用車。
【請求項１５】
前記複数の中間車軸の支持車輪が相互に長手方向に整列しない、請求項１３に記載の水陸両用車。
【請求項１６】
前記陸上推進手段が機械式伝動装置によって動力を供給される、請求項１ないし１５のいずれか一項に記載の水陸両用車。
【請求項１７】
前記陸上推進手段が電気式伝動装置によって動力を供給される、請求項１ないし１５のいずれか一項に記載の水陸両用車。
【請求項１８】
前記陸上推進手段が油圧式伝動装置によって動力を供給される、請求項１ないし１５のいずれか一項に記載の水陸両用車。
【請求項１９】
前記陸上推進手段が機械式および油圧式要素を含む伝動装置によって動力を供給される、請求項１ないし１５のいずれか一項に記載の水陸両用車。
【請求項２０】
前記油圧式要素が油圧式ホイールモータを含む、請求項１９に記載の水陸両用車。
【請求項２１】
前記少なくとも１つの中間車軸が略垂直方向に引上げ可能である、請求項１ないし２０のいずれか一項に記載の水陸両用車。
【請求項２２】
前記少なくとも１つの中間車軸が、車両の長さに沿って前端から後端まで走る１つまたはそれ以上の軸を中心に引上げ可能であるので、各中間車軸が前記軸を中心に弧を描いて引き上げられる、請求項１ないし２１のいずれか一項に記載の水陸両用車。
【請求項２３】
前記少なくとも１つの中間車軸の軸の引上げ位置がその引出し位置に対し略垂直である、請求項２２に記載の水陸両用車。
【請求項２４】
前記少なくとも１つの中間車軸がねじ付き駆動装置によって引き上げられる、請求項１ないし２３のいずれか一項に記載の水陸両用車。
【請求項２５】
前記少なくとも１つの中間車軸が油圧ラムまたは空気圧ラムによって引き上げられる、請求項１ないし２３のいずれか一項に記載の水陸両用車。
【請求項２６】
前記油圧ラムまたは空気圧ラムが車両サスペンションスプリンギングをももたらす、請求項２５に記載の水陸両用車。
【請求項２７】
前記油圧ラムまたは空気圧ラムが車両サスペンション減衰をももたらす、請求項２５または２６に記載の水陸両用車。
【請求項２８】
前記少なくとも１つの中間車軸が、主車両構造に取り付けられたチューブ内に位置して前記少なくとも１つの中間車軸の引上げを案内するガイド要素を有する、請求項１ないし２７のいずれか一項に記載の水陸両用車。
【請求項２９】
前記チューブが取付け要素によって、車両の幅をまたいで対として相互に取り付けられる、請求項２８に記載の水陸両用車。
【請求項３０】
前記少なくとも１つの中間車軸が、主車両構造に取り付けられたスライド内に位置して前記少なくとも１つの中間車軸の引上げを案内するガイド要素を有する、請求項１ないし２７のいずれか一項に記載の水陸両用車。
【請求項３１】
前記スライドが取付け要素によって車両の幅をまたいで対として相互に取り付けられる、請求項３０に記載の水陸両用車。
【請求項３２】
車両カバーまたはルーフが前記取付け要素に取り付けられる、請求項２９または３１に記載の水陸両用車。
【請求項３３】
前記少なくとも１つの中間車軸の単数または複数の車輪が、上に取り付けられた泥除けを有する、請求項１ないし３２のいずれか一項に記載の水陸両用車。
【請求項３４】
前記泥除けが、前記少なくとも１つの中間車軸と共に引き上げられるように取り付けられる、請求項３３に記載の水陸両用車。
【請求項３５】
車両にフォワードコントロールドライビングポジションが設けられた、請求項１ないし３４のいずれか一項に記載の水陸両用車。
【請求項３６】
車両を陸上で使用するために、少なくとも１つの車輪を支持する前記少なくとも１つの中間車軸またはその一部またはその各々を独立して引き上げることができる、請求項１ないし３５のいずれか一項に記載の水陸両用車。
【請求項３７】
車両を操縦するために、少なくとも１つの車輪を支持する前記少なくとも１つの中間車軸またはその一部またはその各々を使用することができる、請求項１ないし３６のいずれか一項に記載の水陸両用車。
【請求項３８】
車両を操縦するために、少なくとも１つの車輪を支持する前記少なくとも１つの中間車軸またはその一部またはその各々を停止または制動させることができる、請求項１ないし３７のいずれか一項に記載の水陸両用車。
【請求項３９】
車両を操縦するために、少なくとも１つの車輪を支持する前記少なくとも１つの中間車軸またはその一部またはその各々を反転させることができる、請求項１ないし３８のいずれか一項に記載の水陸両用車。
【請求項４０】
陸上推進手段、水上推進手段、車両の長さに沿って間隔を置いて配置された少なくとも２つの車輪、およびそれらの間に配置された少なくとも１つの中間車輪を備え、車両を水上および／または陸上で使用中に前記少なくとも１つの中間車輪が引上げ可能である、陸上および水上で使用するための水陸両用車。
【請求項４１】
水上および／または陸上での車両の使用中に、車両の長さに沿って間隔を置いて配置された前記少なくとも２つの車輪が引上げ可能である、請求項４０に記載の水陸両用車。
【請求項４２】
水上および／または陸上での車両の使用中に、各引上げ可能な車輪が他の引上げ可能な車輪とは相互に独立して引上げ可能である、請求項１ないし４１のいずれか一項に記載の水陸両用車。
【請求項４３】
水上および／または陸上での車両の使用中に、各対の引上げ可能な車輪が、他の引上げ可能な車輪または引上げ可能な車輪の対とは相互に独立して引上げ可能である、請求項１ないし４２のいずれか一項に記載の水陸両用車。
【請求項４４】
添付する図１ないし１１のいずれか一つまたはそれ以上に関連して明細書に実質的に記載するか図示した水陸両用車。
【発明の詳細な説明】
【技術分野】
【０００１】
本発明は水陸両用車に関し、特に、車両の水線より上に引込み可能な車輪を支持する少なくとも１つの中間車軸が設けられた水陸両用車に関する。
【背景技術】
【０００２】
従来のオフロード車の車軸の配置は、一方におけるブレークオーバアングルと、他方におけるアプローチおよびディパーチャアングルとの間の妥協である。図１２は車両５００のこれらのアングルを示す。前輪５０３は前車軸に装着され、後輪５０４は後車軸に装着される。車軸は、受入れ可能なブレークオーバアングル５０７がもたらされるように、車両の外端５０５、５０６から挿入しなければならないが、これはアプローチアングル５０１およびディパーチャアングル５０２を低減させることによって機動性を制限する。また、衝撃吸収のためのクラッシャブルスペースを形成するために、車軸をバンパから挿入することも従来行なわれている。しかし、オフロードでの機動性が最大の関心事である場合、各々車輪を支持し、かつ前車軸と後車軸との間に設けられる単数または複数の中間車軸の装備は、ブレークオーバアングル５０７を無意味な概念にする。車両は、単数または複数の追加車輪が存在して車両を支持するので、車軸間のシルで地面に接触しない。このため、前車軸および後車軸をバンパに向かって押し出して、アプローチおよびディパーチャアングル５０１、５０２を最大にすることが可能になる。
【０００３】
種々の車軸オフロード車はオフロードで多くの利点を有するが、オンロードでは限界がある。単一車軸操舵を使用する場合、オフロード車はタイヤスクラブを免れない。複数車軸操舵は複雑さ、重量、およびコストを増大させる。それらは往々にして騒音が大きく、一般的に大量の燃料を消費する。軍隊と民間との間の関係がしばしば緊張する時代には、軍用車両の公道の通過を目立たなくし、敵意を誘発しないようにする、軍用車両の改変は、大きな利点である。
【０００４】
四輪車は、バルーンタイヤを設け、かつバンプおよびリバウンド両方のモード時に細長いサスペンショントラベルをもたらすことによって、オフロードで使用するように適用させることができる（例えばwww.amphibiousvehicle.netのDoliner Go‐Devilを参照されたい）。しかし、これらの改変は速度、経済性、およびオンロードでのハンドリングの容易さを制限することがある。引上げ可能な中間車軸を設けることにより、タイヤおよびサスペンションを道路用により大きく回転させることが可能になり、オンロードでの速度制限を持つバルーンタイヤの使用を回避することができる。
【先行技術文献】
【非特許文献】
【０００５】
【非特許文献１】www.amphibiousvehicle.net→Doliner Go‐Devil (http://www.amphibiousvehicle.net/amphi/D/dolinerspecial/doliner.html)
【発明の概要】
【０００６】
本発明は、第１態様では、陸上推進手段および水上推進手段を備え、陸上推進手段が、車両の長さに沿って間隔を置いて配置された少なくとも２つの車軸およびそれらの間に配置された少なくとも１つの中間車軸を含み、少なくとも１つの中間車軸が、車両を水上および／または陸上で使用するために車両の水線より上に引き上げることのできる少なくとも１つの車輪を支持して成る、陸上および水上で使用するための水陸両用車を提供する。
【０００７】
第２態様では、本発明は、陸上推進手段、水上推進手段、車両の長さに沿って間隔を置いて配置された少なくとも２つの車輪、およびそれらの間に配置された少なくとも１つの中間車輪を備え、少なくとも１つの中間車輪が、車両を水上および／または陸上で使用するときに引き上げることのできる、陸上および水上で使用するための水陸両用車を提供する。
【０００８】
本発明の別の態様では、従属請求項に記載された水陸両用車を提供する。
【０００９】
次に、本発明の好適な実施形態について、単なる実施例として添付の図面を参照しながら説明する。
【図面の簡単な説明】
【００１０】
【図１】全ての車軸が引き出された状態の陸上における本発明に係る水陸両用車の第１実施形態の略側面図である。
【図２】Ｘ−Ｘで切った図１の水陸両用車の略横断面図である。
【図３】中間車軸が引き上げられた状態の陸上における図１の水陸両用車の略側面図である。
【図４】Ｘ−Ｘで切った図３の水陸両用車の略横断面図である。
【図５】全ての車軸が引き上げられた状態の水上における図１の水陸両用車の略側面図である。
【図６】２つの中間車軸が設けられた陸上における本発明に係る水陸両用車の第２実施形態の略側面図である。
【図７】第１状態にある本発明に係る水陸両用車のさらなる実施形態の略横断面図である。
【図８】第２状態にある図７の水陸両用車の略横断面図である。
【図９】本発明に係る水陸両用車のさらに別の実施形態の略横断面図である。
【図１０】全ての車軸が引き上げられ、水上で使用中の本発明に係る水陸両用車の斜視図である。
【図１１】全ての車軸が引き出され、陸上で使用中の図１０の水陸両用車のさらなる斜視図である。
【図１２】先行技術の車両の略側面図である。
【発明を実施するための形態】
【００１１】
図１は、船体１１の形の主車両構造を有する水陸両用車１０を示す。車両は前部（船首）１３および後部（船尾）１９を有する。車両１０は陸上では、船体１１の各側に沿って長手方向に設けられた車輪１２、１４によって推進される。各車輪１２、１４は引上げ可能な車軸（図示せず）上に支持される。車輪１２、１４は全て駆動輪とすることができ、あるいは１つまたはそれ以上の駆動輪および１つまたはそれ以上の非駆動輪を含むことができる。車両１０は従来、前輪を使用して、かつ／または船体１１の各側の車輪１２、１４を独立して操作することによって（例えば特定の車輪を制動または逆転させることによって、すなわちスキッドステアによって）操縦することができる。
【００１２】
この構成は、荒地でも車輪１２、１４が地表面と噛み合うことのできる、特定のオフロードで有利である。車輪１２、１４は軌道車と比較して、特に堅い地表面で、操縦の改善を可能にする。
【００１３】
船体１１は、図２に示すようにＶ字形船体である。さらに、車両１０は水上を走行するための水上推進手段を有する。これは、少なくとも１つのジェット駆動装置の形を取ることが好ましい（図示せず）。ジェット駆動装置は、車両１０が水上を滑走できるための充分な推力を発生することができる。
【００１４】
図２は、位置Ｘ−Ｘで前から後の方を見たときの図１に示した水陸両用車１０の略断面図を示す。車輪１４を支持する各中間車軸は、１つまたはそれ以上のスライド１６に位置する少なくとも１つのガイド要素を有する。スライド１６は船体１１に隣接して略垂直方向に延び、車輪１４を支持する中間車軸が略垂直方向に昇降することを可能にする。スライド１６は管の形にすることができる。スライド１６は、車両１０の幅をまたいで対で配置される。スライド１６の対は、取付け要素（図示せず）によって車両１０の幅をまたいで相互に対して取り付けることができる。
【００１５】
油圧ラム（図示せず）は車輪１４を支持する中間車軸に接続され、車輪１４を支持する中間車軸をスライド１６内で昇降させるように動作可能である。車輪１４を支持する中間車軸は、それらが車両１０の水線より上に来るまで上昇することができる。これは、車両１０が、車輪１４を支持する中間車軸からの妨害または抗力無しに、水上を滑走することを可能にする。車輪１４を支持する中間車軸は、方向舵の高さより上に上昇可能である。全ての引出し動作は、記載した引上げ動作の逆である。
【００１６】
油圧ラムはさらに、車両１０のサスペンションスプリンギングをもたらすことができる。油圧ラムはさらに、参照によって本書に援用するWO01/74612から公知の通り、車両のサスペンション減衰をもたらすことができる。
【００１７】
カバーまたはルーフ（図示せず）をスライド１６によって支持することができる。カバーまたはルーフは取付け要素に取り付けることができる。カバーは、軍事衝突時に車両の乗員のための物理的保護、例えば敵の砲火からの保護をもたらすことができる。
【００１８】
図３は、車輪１４を支持する中間車軸が上向きに上昇した（引き上げられた）状態の図１の水陸両用車を示す。車輪１４を支持する中間車軸は、車両１０の水線５４０（図５参照）より上に上昇する。車輪１２を支持する従来の前後車軸が、車両１０を駆動かつ操縦するように引き出された位置にあり、車輪１２が地面に着いた状態で示されている。この状態はオンロードで有利であり、車輪１２は比較的高速で静かな走行を可能にし、かつ水陸両用車１０の平滑な操縦を可能にする。
【００１９】
図４は、位置Ｘ−Ｘで前から後の方を見たときの図３に示した水陸両用車１０の略断面図を示す。車輪１４を支持する各中間車軸が、引上げられた位置に示されている。車輪１２もスライド１６内を、あるいは車輪を引き上げるためのいずれかの他の手段によって、上昇させることができる。
【００２０】
図５は、引き上げられた中間車輪１４に加えて引上げられた前後車輪１２を示す。これは水陸両用車１０が水上を走行することを可能にし、車両はジェット駆動装置によって推進される。車輪１２、１４は水線５４０より上に上昇し、車両１０は車輪１２、１４からの妨害無しに水上を滑走することができる。
【００２１】
図６は、水陸両用車１１０の第２実施形態を示す。車両１１０は、前部（船首）１１３および後部（船尾）１１９を有する船体１１１を備える。車両１１０は前部の１対の車輪１２４および後部の１対の車輪１２６を有する（全て引き上げられた状態で示される）。車輪１２８を支持する２対の中間車軸が前部および後部の車輪１２４、１２６の間に位置し、車輪１２８は車両１１０の両側に１対ずつ存在する（全て引き出された状態で示される）。前部および後部の車輪１２４、１２６ならびに車輪１２８を支持する中間車軸の全てまたはいずれかをスライド上で、または図２および４に関連して上に記載したように他の方法で、個別に昇降させることができる。図６は、引上げ位置で水線５４０より上の前部および後部の車輪１２４、１２６を示し、かつ船体１１１より下に延びた引出し位置の車輪１２８を支持する中間車軸を示す。車両１１０は、車輪１２８が地面５２０に接地して立つ状態で示される。この構成は、荒地でも車輪１２８が地表面と噛み合うことのできる、特定のオフロードシナリオで有利である。
【００２２】
上述の実施形態では、車輪１２、１４；１２４、１２６、１２８の全てが駆動される。代替的に、前部または後部の車輪１２；１２４、１２６だけが駆動される。前輪１２；１２４、後輪１２；１２６、または全ての路面車輪１２、１４；１２４、１２６、１２８は、車両１０；１１０を陸上で操縦するために使用することができる。車両１０；１１０を操縦するために、少なくとも車輪１２、１４；１２４、１２６、１２８を特に駆動、停止（制動）、または反転させることができる。
【００２３】
図７は、車輪１４を支持する中間車軸を昇降させるための代替的手段を示す。これは、前述した実施形態のいずれでも試用することができる。車輪１４を支持する中間車軸は支持部材３０に取り付けられる。支持部材３０は、車輪１４を支持する中間車軸が下降位置にあるときに、主構造から垂直方向に下方に延びる。
【００２４】
図８に示す通り、支持部材３０は、車輪１４を支持する中間車軸が弧状に横方向に外向きに旋回することができるように、主構造に枢着される。車輪１４を支持する中間車軸は、車両１０に沿って略長手方向に延びる１つまたはそれ以上の軸を中心に回転する。支持部材３０は、車輪１４を支持する中間車軸を船体１１から遠ざけるように車両１０の水線５４０より上に持ち上げるために、水平方向に枢動することができる。したがって引上げ位置は引出し位置に対し略直角である。引上げ位置で、車輪１４は水上にあるときに水陸両用車１０用のフェンダとして働くことができる。
【００２５】
全ての車輪１２、１４；１２４、１２６、１２８は、上述の通り弧状に回転することによって昇降することもできる。
【００２６】
図９に示す通り、車輪１４を支持する中間車軸上に泥除け５２またはスプレーガード５２を設けることができる。車輪１４を支持する中間車軸を昇降するときに泥除け５２が動かないように、泥除け５２は船体１１に堅固に取り付けることができる。代替的に、泥除け５２が車輪１４を支持する中間車軸と一緒に昇降して車輪１４からの距離を一定に維持するように、泥除け５２は、車輪１４を支持する中間車軸および／またはスライドに取り付けることができる。
【００２７】
図１０は、全ての車輪１２、１４が引き上げられて水上を滑水する使用中の車両１０を示す。
【００２８】
図１１は、全ての車輪１２、１４が引き出されて陸上で使用中の車両１０を示す。
【００２９】
いずれかの実施形態の車輪は、機械式伝動装置によって（駆動力をもたらすように）動力を供給される。代替的に、車輪は、電気式伝動装置または油圧式伝動装置によって動力を供給することができる。代替的に、車輪は機械式および油圧式要素を含む伝動装置によって動力を供給することができる。油圧式要素は油圧式ホイールモータとすることができる。
【００３０】
いずれかの実施形態の車輪は水上で、混雑した空間、例えば港湾またはマリーナで速度を制限するために、上陸体勢を取りながら、または沼地のように水深が予測できず、絶えず変化する領域で、下降させることができる。さらに、沼地では繁茂した水生植物がウォータジェット取水口を閉塞かもしれない。
【００３１】
本発明に係る車両は水上で逆進することができなければならないことが考えられるが、先細の船首および切り落とされた形の船尾を持つ典型的な滑走船体の形状は、各方向で受ける流体力学的抵抗が非常に異なるため、車両は前進が逆進よりかなり速く走行できることを表わす。一般的に、水陸両用車は、幅より長さの方が約１．５〜５倍、好ましくは２．５〜４倍長い道路車両またはボートと同様の比率を有する。道路車両の幅に対する実務的かつ法的制限は、船体の流体力学的特性と同様に、ここでは大きい影響を持つ。水陸両用車の従来の走行方向はその長さに沿っている。
【００３２】
本書で車両の「主構造」という場合、これは、水上で使用する場合は船体、陸上で使用する場合は車体とみなすべきである。
【００３３】
記載した実施形態のいずれかは、車両の前部、好ましくはエンジンの前の「フォワードコントロール」ドライビングポジションから操作することができる。そのような車両では、フロントガラスの前方には車体構造はほとんど無く、おそらくバンパだけである。そのようなドライビングポジションは、陸上および水上の両方で優れた視界をもたらす。明らかな欠点は、軍事用途における敵の砲火からの可視性、および運転者の前方に衝突に備えたクラッシャブル構造が欠如していることである。
【００３４】
ジェット駆動装置について、水上で車両に駆動力を提供するものとして記載してきた。代替的に、マリンアウトドライブ（marine outdrive）または単数もしくは複数のプロペラを使用することができる。マリンアウトドライブを設けた場合、専用道路車両からの切替え易さが改善される。代替的に、車両は、水上での推進用に２つ以上のジェット駆動装置を持つことができる。
【００３５】
前部、中間、および後部の車輪について、陸上で車両を駆動させるために駆動されるものとして記載してきた。代替的に、特定の車輪は選択的に駆動されるか、あるいは全く駆動されないようにすることができる。
【００３６】
油圧ラムについて、車輪を支持する中間車軸を昇降させるものとして記載してきた。代替的に、車輪を支持する中間車軸は、ねじ付き駆動装置、油圧式モータ、または他の適切な手段によって動かすことができる。代替的に、車輪を支持する中間車軸は、空気圧ラムまたは他の加圧空気作動手段によって昇降させることができる。空気圧ラムはさらに車両のサスペンションスプリンギングをもたらすことができる。空気圧ラムはさらに車両のサスペンション減衰をもたらすことができる。
【００３７】
作動手段と必要に応じて中間車軸および／または車輪との間に、枢支リンクアームまたは他の連結装置を使用することができる。
【００３８】
車輪を支持する中間車軸について、船体の両側に取り付けられるものとして記載してきた。代替的に、車輪を支持する単一の中間車軸を船体の中心線の下に、中央に設けることができる。代替的に、車輪を支持する３つの中間車軸を、船体の両側に１つずつ、そして船体の中心線の下に１つ、設けることができる。車輪を支持する中間車軸は、図示するように船体の側部に位置するか、または部分的にまたは完全に船体の下に取り付けるかのいずれかとすることができる。
【００３９】
１対の前輪および１対の後輪について記載してきた。代替的に、車両は１対の前輪および単一の中心後輪を持つことができる。代替的に、車両は１対の後輪および単一の中心前輪を持つことができる。代替的に、車両は、記載した中間車軸の関連を含めて、図示した特定の実施形態のいずれかより追加的または少数の車輪を持つことができる。例えば車両は、各車軸に１つの車輪だけ、すなわち全部で３つの車輪だけを備えることができる。
【００４０】
上述の記載から、２つ以上の中間車軸を設けることができることは理解されるであろう。複数の中間車軸が設けられる場合を含めて、あらゆる場合に、全ての車軸は各々、他とは独立して引き上げることができる。さらに、車軸は実際には、車両の両側に１つずつ設けられた２つのスタブ車軸、または車両の一方もしくは他方の側部または中間位置に設けられた１つだけのスタブ車軸を含むことができる。
【００４１】
本書における車軸という用語の言及は単に、車輪がそれを中心に回転することのできる何かを指しているだけである。車軸は、車輪ハブまたはスタブ車軸に指示された１つだけの車輪を備えることができる。代替的に、車軸は従来の車軸に支持された２つの車輪を備えることができる。
【００４２】
水陸両用車の幾つかの実施形態を上に記載したが、記載した（かつ／または付属する特許請求の範囲に記載する）特徴はいずれか１つ以上または全部を、実施形態のいずれかにおいて、分離してまたは様々に組み合わせて提供することができる。そういうものとして、これらの特徴はいずれかの１つまたはそれ以上を、明細書および／または請求項に記載する特徴の組合せのいずれかから除去するか、それと置換するか、かつ／またはそれに追加することができる。疑いを回避するために言及すると、任意の実施形態の任意の特徴を、実施形態のいずれかの任意の特徴と組み合わせることができる。
【００４３】
本発明の好適な実施形態について上に記載し、かつ図面に示したが、これらは単なる実施例であって、限定ではない。付属する特許請求の範囲に記載する本発明の範囲内で多くの代替例が可能であることを当業者は理解されるであろう。
【図１】
2010509110.tif 000003
【図２】
2010509110.tif 000004
【図３】
2010509110.tif 000005
【図４】
2010509110.tif 000006
【図５】
2010509110.tif 000007
【図６】
2010509110.tif 000008
【図７】
2010509110.tif 000009
【図８】
2010509110.tif 000010
【図９】
2010509110.tif 000011
【図１０】
2010509110.tif 000012
【図１１】
2010509110.tif 000013
【図１２】
2010509110.tif 000014
【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
陸上推進手段および水上推進手段を備え、前記陸上推進手段が、車両の長さに沿って間隔を置いて配置された少なくとも２つの車軸、およびそれらの間に配置された少なくとも１つの中間車軸を含み、前記少なくとも１つの中間車軸が、車両を水上および／または陸上で使用するために車両の水線より上に引き上げることのできる少なくとも１つの車輪を支持して成り、かつ、水上で滑走するように構成された、陸上および水上で使用するための水陸両用車。
【請求項２】
車両の長さに沿って間隔を置いて配置された前記少なくとも２つの車軸が各々、車両を水上および／または陸上で使用するために車両の水線より上に引き上げることのできる少なくとも１つの車輪を支持する、請求項１に記載の水陸両用車。
【請求項３】
車軸の１つまたはそれ以上が駆動車軸である、請求項１または２に記載の水陸両用車。
【請求項４】
車軸の１つまたはそれ以上の駆動が選択的である、請求項１ないし３のいずれか一項に記載の水陸両用車。
【請求項５】
Ｖ字形船体を備えた、請求項１ないし４のいずれか一項に記載の水陸両用車。
【請求項６】
前記水上推進手段が少なくとも１つのジェット駆動装置を含む、請求項１ないし５のいずれか一項に記載の水陸両用車。
【請求項７】
間隔を置いて配置された車軸の少なくとも１つが車両の第１近端または前端に設けられ、間隔を置いて配置された車軸の少なくとも１つが車両の第２遠端または後端に設けられる、請求項１ないし６のいずれか一項に記載の水陸両用車。
【請求項８】
前記少なくとも１つの中間車軸が車両の後部寄りに設けられる、請求項１ないし７のいずれか一項に記載の水陸両用車。
【請求項９】
前記少なくとも１つの中間車軸が車両の前部寄りに設けられる、請求項１ないし７のいずれか一項に記載の水陸両用車。
【請求項１０】
前記少なくとも１つの中間車軸の前記少なくとも１つの支持車輪が、車両に沿って前端から後端まで走る長手軸に沿って間隔を置いて配置された前記少なくとも２つの車軸の支持車輪と整列して設けられる、請求項２ないし９のいずれか一項に記載の水陸両用車。
【請求項１１】
前記少なくとも１つの中間車軸の前記少なくとも１つの支持車輪が、間隔を置いて配置された前記少なくとも２つの車軸の支持車輪と長手方向に整列しない、請求項２ないし９のいずれか一項に記載の水陸両用車。
【請求項１２】
前記少なくとも１つの中間車軸が複数の中間車軸を含み、各中間車軸が少なくとも１つの車輪を支持し、かつ車両の他の中間車軸および／または他の車軸とは相互に独立して引上げ可能である、請求項１ないし１１のいずれか一項に記載の水陸両用車。
【請求項１３】
前記複数の中間車軸の支持車輪が、車両に沿って前端から後端まで走る長手軸に沿って相互に整列して設けられる、請求項１２に記載の水陸両用車。
【請求項１４】
前記複数の中間車軸の支持車輪が相互に長手方向に整列しない、請求項１２に記載の水陸両用車。
【請求項１５】
前記陸上推進手段が機械式伝動装置によって動力を供給される、請求項１ないし１４のいずれか一項に記載の水陸両用車。
【請求項１６】
前記陸上推進手段が電気式伝動装置によって動力を供給される、請求項１ないし１４のいずれか一項に記載の水陸両用車。
【請求項１７】
前記陸上推進手段が油圧式伝動装置によって動力を供給される、請求項１ないし１４のいずれか一項に記載の水陸両用車。
【請求項１８】
前記陸上推進手段が機械式および油圧式要素を含む伝動装置によって動力を供給される、請求項１ないし１４のいずれか一項に記載の水陸両用車。
【請求項１９】
前記油圧式要素が油圧式ホイールモータを含む、請求項１８に記載の水陸両用車。
【請求項２０】
前記少なくとも１つの中間車軸が略垂直方向に引上げ可能である、請求項１ないし１９のいずれか一項に記載の水陸両用車。
【請求項２１】
前記少なくとも１つの中間車軸が、車両の長さに沿って前端から後端まで走る１つまたはそれ以上の軸を中心に引上げ可能であるので、各中間車軸が前記軸を中心に弧を描いて引き上げられる、請求項１ないし２０のいずれか一項に記載の水陸両用車。
【請求項２２】
前記少なくとも１つの中間車軸の軸の引上げ位置がその引出し位置に対し略垂直である、請求項２１に記載の水陸両用車。
【請求項２３】
前記少なくとも１つの中間車軸がねじ付き駆動装置によって引き上げられる、請求項１ないし２２のいずれか一項に記載の水陸両用車。
【請求項２４】
前記少なくとも１つの中間車軸が油圧ラムまたは空気圧ラムによって引き上げられる、請求項１ないし２２のいずれか一項に記載の水陸両用車。
【請求項２５】
前記油圧ラムまたは空気圧ラムが車両サスペンションスプリンギングをももたらす、請求項２４に記載の水陸両用車。
【請求項２６】
前記油圧ラムまたは空気圧ラムが車両サスペンション減衰をももたらす、請求項２４または２５に記載の水陸両用車。
【請求項２７】
前記少なくとも１つの中間車軸が、主車両構造に取り付けられたチューブ内に位置して前記少なくとも１つの中間車軸の引上げを案内するガイド要素を有する、請求項１ないし２６のいずれか一項に記載の水陸両用車。
【請求項２８】
前記チューブが取付け要素によって、車両の幅をまたいで対として相互に取り付けられる、請求項２７に記載の水陸両用車。
【請求項２９】
前記少なくとも１つの中間車軸が、主車両構造に取り付けられたスライド内に位置して前記少なくとも１つの中間車軸の引上げを案内するガイド要素を有する、請求項１ないし２６のいずれか一項に記載の水陸両用車。
【請求項３０】
前記スライドが取付け要素によって車両の幅をまたいで対として相互に取り付けられる、請求項２９に記載の水陸両用車。
【請求項３１】
車両カバーまたはルーフが前記取付け要素に取り付けられる、請求項２８または３０に記載の水陸両用車。
【請求項３２】
前記少なくとも１つの中間車軸の単数または複数の車輪が、上に取り付けられた泥除けを有する、請求項１ないし３１のいずれか一項に記載の水陸両用車。
【請求項３３】
前記泥除けが、前記少なくとも１つの中間車軸と共に引き上げられるように取り付けられる、請求項３２に記載の水陸両用車。
【請求項３４】
車両にフォワードコントロールドライビングポジションが設けられた、請求項１ないし３３のいずれか一項に記載の水陸両用車。
【請求項３５】
車両を陸上で使用するために、少なくとも１つの車輪を支持する前記少なくとも１つの中間車軸またはその一部またはその各々を独立して引き上げることができる、請求項１ないし３４のいずれか一項に記載の水陸両用車。
【請求項３６】
車両を操縦するために、少なくとも１つの車輪を支持する前記少なくとも１つの中間車軸またはその一部またはその各々を使用することができる、請求項１ないし３５のいずれか一項に記載の水陸両用車。
【請求項３７】
車両を操縦するために、少なくとも１つの車輪を支持する前記少なくとも１つの中間車軸またはその一部またはその各々を停止または制動させることができる、請求項１ないし３６のいずれか一項に記載の水陸両用車。
【請求項３８】
車両を操縦するために、少なくとも１つの車輪を支持する前記少なくとも１つの中間車軸またはその一部またはその各々を反転させることができる、請求項１ないし３７のいずれか一項に記載の水陸両用車。
【請求項３９】
陸上推進手段、水上推進手段、車両の長さに沿って間隔を置いて配置された少なくとも２つの車輪、およびそれらの間に配置された少なくとも１つの中間車輪を備え、車両を水上および／または陸上で使用中に前記少なくとも１つの中間車輪が引上げ可能である、陸上および水上で使用するための水陸両用車。
【請求項４０】
水上および／または陸上での車両の使用中に、車両の長さに沿って間隔を置いて配置された前記少なくとも２つの車輪が引上げ可能である、請求項３９に記載の水陸両用車。
【請求項４１】
水上および／または陸上での車両の使用中に、各引上げ可能な車輪が他の引上げ可能な車輪とは相互に独立して引上げ可能である、請求項１ないし４０のいずれか一項に記載の水陸両用車。
【請求項４２】
水上および／または陸上での車両の使用中に、各対の引上げ可能な車輪が、他の引上げ可能な車輪または引上げ可能な車輪の対とは相互に独立して引上げ可能である、請求項１ないし４１のいずれか一項に記載の水陸両用車。